(57)【特許請求の範囲】
【請求項１】
複数の商品についてそれぞれの型番を含む商品情報および各商品を紹介するウェブページを格納するデータベースサーバと、複数の端末と、ウェブサーバと、メールサーバとがネットワークを介して相互に接続される、商品紹介システムであって、
前記ウェブサーバは、
前記複数の端末のいずれかである第１の端末の要求に応じて前記データベースサーバに格納されている前記各商品を紹介するウェブページを配信し、前記ウェブページを受信した前記第１の端末からの商品を選択する要求に応じて、選択された１つ以上の商品の型番を１つのメモ番号に対応付けて記述した複数のメモ情報を作成して前記データベースサーバに格納する情報配信制御部と、
前記第１の端末から、前記情報配信制御部が作成した複数のメモ情報の一覧の中から選択されたメモ情報の紹介を希望する第２の端末へ紹介する旨の要求をメモ番号とともに受け付けると、該当するメモ番号が添付された電子メールを前記メールサーバから前記第２の端末へ送信させるメール配信制御部と、
前記第２の端末からの前記メモ番号を含む紹介要求を受け付けると、前記メモ情報に前記メモ番号に対応付けられて記述されている型番を読み出し、読み出した型番に基づいて前記商品情報を前記データベースサーバより抽出し、商品陳列ページを作成して前記第２の端末へ提供する商品情報抽出部と、
を有する、商品紹介システム。
【請求項２】
請求項１に記載の商品紹介システムにおいて、
前記情報配信制御部は、前記メモ情報を前記データサーバへ格納した日を示す登録日を、前記メモ番号に対応付けて前記メモ情報に記述して前記データサーバへ格納し、
前記データベースサーバは、前記登録日から所定の期間が経過したメモ情報を削除する情報管理部を有する、商品紹介システム。
【請求項３】
複数の商品についてそれぞれの型番を含む商品情報および各商品を紹介するウェブページを格納するデータベースサーバと、複数の端末と、メールサーバと、ともにネットワークを介して相互に接続され商品紹介システムを構成するウェブサーバであって、
前記複数の端末のいずれかである第１の端末の要求に応じて前記データベースサーバに格納されている前記各商品を紹介するウェブページを配信し、前記ウェブページを受信した前記第１の端末からの商品を選択する要求に応じて、選択された１つ以上の商品の型番を１つのメモ番号に対応付けて記述した複数のメモ情報を作成して前記データベースサーバに格納する情報配信制御部と、
前記第１の端末から、前記情報配信制御部が作成した複数のメモ情報の一覧の中から選択されたメモ情報の紹介を希望する第２の端末へ紹介する旨の要求をメモ番号とともに受け付けると、該当するメモ番号が添付された電子メールを前記メールサーバから前記第２の端末へ送信させるメール配信制御部と、
前記第２の端末からの前記メモ番号を含む紹介要求を受け付けると、前記メモ情報に前記メモ番号に対応付けられて記述されている型番を読み出し、読み出した型番に基づいて前記商品情報を前記データベースサーバより抽出し、商品陳列ページを作成して前記第２の端末へ提供する商品情報抽出部と、
を有する、ウェブサーバ。
【請求項４】
複数の商品についてそれぞれの型番を含む商品情報および各商品を紹介するウェブページを格納する記憶部を備え、ネットワークを介して複数の端末とそれぞれ接続されるサーバであって、
前記複数の端末のいずれかである第１の端末の要求に応じて前記記憶部に格納されている前記各商品を紹介するウェブページを配信し、前記ウェブページを受信した前記第１の端末からの商品を選択する要求に応じて、選択された１つ以上の商品の型番を１つのメモ番号に対応付けて記述した複数のメモ情報を作成して前記記憶部に格納する情報配信制御部と、
前記第１の端末から、作成した複数のメモ情報の一覧の中から選択されたメモ情報の紹介を希望する第２の端末へ紹介する旨の要求をメモ番号とともに受け付けると、該当するメモ番号が添付された電子メールを前記第２の端末へ送信するメール配信制御部と、
前記第２の端末からの前記メモ番号を含む紹介要求を受け付けると、前記メモ情報に前記メモ番号に対応付けられて記述されている型番を読み出し、読み出した型番に基づいて前記商品情報を前記記憶部より抽出し、商品陳列ページを作成して前記第２の端末へ提供する商品情報抽出部と、
を有する、サーバ。
【請求項５】
請求項４に記載のサーバにおいて、
前記情報配信制御部は、前記メモ情報を前記記憶部へ格納した日を示す登録日を、前記メモ番号に対応付けて前記メモ情報に記述して前記記憶部へ格納し、前記登録日から所定の期間が経過したメモ情報を削除する、サーバ。
【請求項６】
複数の商品についてそれぞれの型番を含む商品情報および各商品を紹介するウェブページを格納する記憶部を備え、ネットワークを介して複数の端末とそれぞれ接続されるサーバが行う商品紹介方法であって、
前記複数の端末のいずれかである第１の端末の要求に応じて前記記憶部に格納されている前記各商品を紹介するウェブページを配信し、前記ウェブページを受信した前記第１の端末からの商品を選択する要求に応じて、選択された１つ以上の商品の型番を１つのメモ番号に対応付けて記述した複数のメモ情報を作成して前記記憶部に格納し、
前記第１の端末から、作成した複数のメモ情報の一覧の中から選択されたメモ情報の紹介を希望する第２の端末へ紹介する旨の要求をメモ番号とともに受け付けると、該当するメモ番号が添付された電子メールを前記第２の端末へ送信し、
前記第２の端末からの前記メモ番号を含む紹介要求を受け付けると、前記メモ情報に前記メモ番号に対応付けられて記述されている型番を読み出し、読み出した型番に基づいて前記商品情報を前記記憶部より抽出し、商品陳列ページを作成して前記第２の端末へ提供する、商品紹介方法。
【請求項７】
請求項６に記載の商品紹介方法において、
前記メモ情報を前記記憶部へ格納した日を示す登録日を、前記メモ番号に対応付けて前記メモ情報に記述して前記記憶部へ格納し、
前記登録日から所定の期間が経過したメモ情報を削除する、商品紹介方法。
【発明の詳細な説明】
【技術分野】
【０００１】
本発明は、ネットワークを介して商品情報を提供する商品紹介システム、ウェブサーバ、サーバ、および商品紹介方法に関する。
【背景技術】
【０００２】
ネットワークを介した商品販売に利用されるシステムには、購入者が実際に発注した商品の情報を掲載したウェブページを作成するものが提案されており、例えば特許文献１（特開２００６−１４６３００号公報）に開示されている。
【０００３】
特許文献１に記載されたシステムは、購入者が使用する端末と、販売者が管理する制御装置とを有し、端末および制御装置はネットワークを介して互いに接続されている。なお、制御装置は、サーバとデータベースとで構成されている。
【０００４】
特許文献１に記載されたシステムでは、購入者の操作により端末がサーバへ接続されると、サーバは、型番（商品コード）の異なる複数の商品の情報を一覧表示したウェブページを端末へ提供する。なお、このウェブページに掲載されている商品の情報には、型番、販売価格、商品の画像などが含まれており、これらは、予めデータベースに格納されている。
【０００５】
購入者の操作により端末がサーバに対して複数の商品のいずれかを発注する旨を通知すると、サーバは、受注用のウェブページを端末へ提供する。このウェブページには、購入者が選択した商品の商品名、販売価格、型番が掲載され、ユーザＩＤおよびメールアドレスの入力欄が設けられている。
【０００６】
購入者は、端末を操作してユーザＩＤおよび端末で設定されているメールアドレスを入力し、サーバに対して発注を確定する旨を通知する。すると、サーバは、受注した旨を掲載したウェブページを端末へ提供するとともに、受注内容を示す情報と購入者ごとに異なる顧客コードとを対応付けてデータベースへ格納する。
【０００７】
続いて、サーバは、購入者が発注した商品の情報を掲載したウェブページである顧客ホームページを作成し、作成した顧客ホームページのアドレスを添付した電子メールを、端末へ送信する。
【０００８】
端末が電子メールを受信した後、端末が電子メールに添付されたアドレスとともに顧客ホームページの提供をサーバへ要求すると、サーバは、要求された顧客ホームページを端末へ提供する。
【０００９】
なお、特許文献１に記載のシステムでは、顧客ホームページのアドレスは、購入者（ユーザＩＤ）ごとに付与されている。そのため、購入者が顧客ホームページに掲載されていない商品を発注すると、その商品の情報が自身の顧客ホームページに追加される。すなわち、顧客ホームページには、購入者が過去に発注した商品の情報も含まれることになる。
【００１０】
特許文献１に記載のシステムによれば、商品の発注にともなって顧客ホームページが作成されて購入者に提供されるため、購入者には自分が発注した商品を確認できるという効果がもたらされる。また、サーバから送信された電子メールを購入者が自分の端末から第三者（例えば、友人）の端末へ転送すれば、販売者には自分の商品が購入者を通じてより多くの人に紹介されるという効果がもたらされる。
【特許文献１】特開２００６−１４６３００号公報
【発明の開示】
【発明が解決しようとする課題】
【００１１】
特許文献１に記載のシステムによれば、購入者は自身の顧客ホームページを紹介することが可能である。しかしながら、この顧客ホームページには、購入者が過去に発注した全ての商品の情報が掲載されている。従って、特許文献１に記載のシステムでは、紹介相手にとって不要な商品情報も提供される場合がある。この場合、紹介相手には顧客ホームページから自分が必要とする商品情報を探す手間が生じる。
【００１２】
また、特許文献１に記載のシステムは、顧客ホームページに掲載する商品情報の情報源が顧客ホームページごとにデータベースに存在する構成となっている。そのため、同じ商品を購入した顧客が複数存在する場合には同じ内容の顧客ホームページが複数作られることとなる。これにより、特許文献１に記載のシステムでは、同じ内容の情報が重複してデータベースに保存されることとなり、必要以上の資源が必要となる。
【００１３】
本発明は、商品紹介を効率的かつ省資源で行うことが可能な商品紹介システム、ウェブサーバ、サーバ、および商品紹介方法を実現する技術を提供することを目的とする。
【課題を解決するための手段】
【００１４】
上記目的を達成するための本発明による商品紹介システムは、
複数の商品についてそれぞれの型番を含む商品情報および各商品を紹介するウェブページを格納するデータベースサーバと、複数の端末と、ウェブサーバと、メールサーバとがネットワークを介して相互に接続される、商品紹介システムであって、
前記ウェブサーバは、
前記複数の端末のいずれかである第１の端末の要求に応じて前記データベースサーバに格納されている前記各商品を紹介するウェブページを配信し、前記ウェブページを受信した前記第１の端末からの商品を選択する要求に応じて、選択された１つ以上の商品の型番を１つのメモ番号に対応付けて記述したメモ情報を作成して前記データベースサーバに格納する情報配信制御部と、
前記第１の端末から、前記情報配信制御部が作成したメモ情報の紹介を希望する第２の端末へ紹介する旨の要求をメモ番号とともに受け付けると、該当するメモ番号が添付された電子メールを前記メールサーバから前記第２の端末へ送信させるメール配信制御部と、
前記第２の端末からの前記メモ番号を含む紹介要求を受け付けると、前記メモ情報に前記メモ番号に対応付けられて記述されている型番を読み出し、読み出した型番に基づいて前記商品情報を前記データベースサーバより抽出し、前記第２の端末へ提供する商品情報抽出部と、を有する。
【００１５】
また、上記目的を達成するための本発明によるウェブサーバは、
複数の商品についてそれぞれの型番を含む商品情報および各商品を紹介するウェブページを格納するデータベースサーバと、複数の端末と、メールサーバと、ともにネットワークを介して相互に接続され商品紹介システムを構成するウェブサーバであって、
前記複数の端末のいずれかである第１の端末の要求に応じて前記データベースサーバに格納されている前記各商品を紹介するウェブページを配信し、前記ウェブページを受信した前記第１の端末からの商品を選択する要求に応じて、選択された１つ以上の商品の型番を１つのメモ番号に対応付けて記述したメモ情報を作成して前記データベースサーバに格納する情報配信制御部と、
前記第１の端末から、前記情報配信制御部が作成したメモ情報の紹介を希望する第２の端末へ紹介する旨の要求をメモ番号とともに受け付けると、該当するメモ番号が添付された電子メールを前記メールサーバから前記第２の端末へ送信させるメール配信制御部と、
前記第２の端末からの前記メモ番号を含む紹介要求を受け付けると、前記メモ情報に前記メモ番号に対応付けられて記述されている型番を読み出し、読み出した型番に基づいて前記商品情報を前記データベースサーバより抽出し、前記第２の端末へ提供する商品情報抽出部と、を有する。
【００１６】
また、上記目的を達成するための本発明によるサーバは、
複数の商品についてそれぞれの型番を含む商品情報および各商品を紹介するウェブページを格納する記憶部を備え、ネットワークを介して複数の端末とそれぞれ接続されるサーバであって、
前記複数の端末のいずれかである第１の端末の要求に応じて前記記憶部に格納されている前記各商品を紹介するウェブページを配信し、前記ウェブページを受信した前記第１の端末からの商品を選択する要求に応じて、選択された１つ以上の商品の型番を１つのメモ番号に対応付けて記述したメモ情報を作成して前記記憶部に格納する情報配信制御部と、
前記第１の端末から、作成したメモ情報の紹介を希望する第２の端末へ紹介する旨の要求をメモ番号とともに受け付けると、該当するメモ番号が添付された電子メールを前記第２の端末へ送信するメール配信制御部と、
前記第２の端末からの前記メモ番号を含む紹介要求を受け付けると、前記メモ情報に前記メモ番号に対応付けられて記述されている型番を読み出し、読み出した型番に基づいて前記商品情報を前記記憶部より抽出し、前記第２の端末へ提供する商品情報抽出部と、を有する。
【００１７】
また、上記目的を達成するための本発明による商品紹介方法は、
複数の商品についてそれぞれの型番を含む商品情報および各商品を紹介するウェブページを格納する記憶部を備え、ネットワークを介して複数の端末とそれぞれ接続されるサーバが行う商品紹介方法であって、
前記複数の端末のいずれかである第１の端末の要求に応じて前記記憶部に格納されている前記各商品を紹介するウェブページを配信し、前記ウェブページを受信した前記第１の端末からの商品を選択する要求に応じて、選択された１つ以上の商品の型番を１つのメモ番号に対応付けて記述したメモ情報を作成して前記記憶部に格納し、
前記第１の端末から、作成したメモ情報の紹介を希望する第２の端末へ紹介する旨の要求をメモ番号とともに受け付けると、該当するメモ番号が添付された電子メールを前記第２の端末へ送信し、
前記第２の端末からの前記メモ番号を含む紹介要求を受け付けると、前記メモ情報に前記メモ番号に対応付けられて記述されている型番を読み出し、読み出した型番に基づいて前記商品情報を前記記憶部より抽出し、前記第２の端末へ提供する。
【発明の効果】
【００１８】
本発明では、紹介者が第１の端末を使用し、紹介相手が第２の端末を使用している場合、ウェブサーバは紹介者が選択した商品の情報だけを紹介相手へ提供できる。すなわち、紹介相手に対して、紹介相手が必要とする商品の情報だけを提供できる。
【００１９】
また、本発明では、ウェブサーバは、紹介者が紹介する商品の情報を、メモ番号および型番に基づいて、データベースサーバに格納されている商品情報から抽出して紹介相手へ一括して提供している。これにより、商品紹介に用いる情報の情報源がデータベースサーバに格納されている商品情報に統一されるため、同じ内容の情報を重複してデータベースサーバに保存しなくても商品紹介を行える。
【００２０】
上記の通り、紹介相手が必要とする商品の情報だけを提供でき、かつ、同じ内容の情報を重複してデータベースサーバに保存しなくても商品紹介を行えるため、商品紹介を効率的かつ省資源で行うことが可能となる。
【発明を実施するための最良の形態】
【００２１】
本実施形態の商品紹介システムについて、図面を参照しながら説明する。
【００２２】
図１は、本発明による商品紹介システムの一実施形態の構成を示すブロック図である。
【００２３】
本実施形態の商品紹介システムは、図１に示すように、ネットワークを介して購入可能な商品を紹介する紹介者が使用する端末１と、紹介相手が使用する端末２と、商品の販売者が管理するデータベースサーバ３、ウェブサーバ４、メールサーバ５とを有する。なお、端末１、端末２、データベースサーバ３、ウェブサーバ４、およびメールサーバ５は、ネットワーク１００を介して接続される。
【００２４】
まず、端末１および端末２について説明する。
【００２５】
端末１および端末２は、パーソナルコンピュータであり、ウェブサーバ４と情報通信を行う機能や、予め設定されたメールアドレスにより電子メールを送受信する機能を有する。
【００２６】
次に、データベースサーバ３について説明する。
【００２７】
データベースサーバ３は、記憶部３１および情報管理部３２を含む。記憶部３１には、商品情報、ユーザ情報、メモ情報、および紹介情報、ならびにウェブサーバ４を通じて複数の端末へ提供されるウェブページが格納される。ここで、記憶部３１に格納される情報について説明する。
【００２８】
商品情報は、商品名、商品の画像、販売価格、商品の説明、および選択ＣＯＰ（Configuration option）を含み、これらは商品の型番にそれぞれ対応付けてデータベースサーバ３に格納されている。なお、選択ＣＯＰとは、商品の仕様（例えば、商品がメモリの場合には容量）を示すものである。
【００２９】
ユーザ情報は、本実施形態の商品紹介システムのユーザ毎に氏名やユーザＩＤなどを示す情報である。なお、ユーザ情報は、ウェブサーバ４が各端末からの提供を受けてデータベースサーバ３に格納させる。
【００３０】
メモ情報は、データベースサーバ３に格納されており、データベースサーバ３からウェブサーバ４を通じて複数の端末へ提供される商品情報から紹介者が選択した商品に関する情報である。
【００３１】
図２は、メモ情報の一例を示す図である。
【００３２】
メモ情報は、図２（ａ）に示すように、メモ情報の作成を要求した紹介者のユーザＩＤ、メモタイトル、およびメモ情報を記憶部３１へ格納した日を示す登録日、ユーザが同時に選択した商品の内容を示す商品内容がメモ番号にそれぞれ対応付けられて記述された情報である。メモ番号は、メモ情報を識別するための番号であり、ウェブサーバ４がメモ情報を作成するたびに設定される。メモタイトルは、紹介者が自分のメモ情報に対して名付けたタイトルであり、端末１の操作により入力される。
【００３３】
商品内容は、図２（ｂ）に示すように、紹介者が同時に選択した商品の情報を表示する順番を示す項番、紹介者が選択した商品についての型番、単価、数量、および割引金額などが記述されている。
【００３４】
メモ情報は一つのメモ番号に対して複数の商品の型番を対応付けたデータ構成であるため、紹介者は型番の異なる複数の商品を一つのメモ情報としてデータベースサーバ３へ保存できる。また、メモ情報にはメモ番号が存在するため、紹介者は、紹介相手に応じて複数のメモ情報をデータベースサーバ３へ保存できる。
【００３５】
紹介情報は、メモ情報の中で紹介者が実際に紹介したメモ情報の履歴を示す情報であり、紹介コード、紹介者のユーザＩＤ、紹介相手に提供されたメモ情報のメモ番号、メモ情報の送信先のメールアドレスなどが示されている。
【００３６】
情報管理部３２は、ウェブサーバ４から提供されるメモ情報、紹介情報などを記憶部３１に格納する。また、記憶部３１に格納されている情報からウェブサーバ４が要求する情報を提供する。なお、情報管理部３２は、メモ情報について、登録日から所定の期間を経過したものについて削除することとしてもよい。この場合、データベースサーバ３が保存する情報量を抑えることが可能となる。
【００３７】
次に、ウェブサーバ４について説明する。
【００３８】
ウェブサーバ４は、情報配信制御部４１と、メール配信制御部４２と、商品情報抽出部４３と、を含む。
【００３９】
情報配信制御部４１は、端末１の要求に応じて、データベースサーバ３１に格納されているウェブページを提供し、端末１の要求に応じてメモ情報を作成する。
【００４０】
メール配信制御部４２は、端末１の要求に応じて、メールサーバ４に対してメモ番号が添付された電子メールを端末２へ送信させる。
【００４１】
商品情報抽出部４３は、端末２の要求に応じて、端末２に送信された電子メールに添付されたメモ番号に対応する商品情報を抽出して端末２へ提供する。
【００４２】
次に、メールサーバ５について説明する。
【００４３】
メールサーバ５は、メール配信制御部４２の制御に基づいて、電子メールを送信する。
【００４４】
次に、本実施形態の商品紹介システムにおいて、紹介者が選択した商品の情報を紹介相手に提供する際に行われる動作について説明する。
【００４５】
図３は、紹介者が選択した商品の情報を紹介相手に提供する際の、端末１、端末２、データベースサーバ３、ウェブサーバ４、およびメールサーバ５の動作を示すシーケンス図である。
【００４６】
なお、本実施形態では、端末１は、ユーザＩＤの入力によりウェブサーバ４へのアクセスが許可された状態であり、情報配信制御部４１が提供した商品情報を掲載したウェブページを表示していることとする。
【００４７】
まず、端末１は、紹介者が選択した商品の情報の保存をウェブサーバ４へ要求する（ステップＳ１）。すると、情報配信制御部４１は、メモ情報を作成してデータベースサーバ３へ送信するとともに、メモ情報を作成した旨を掲載するウェブページを端末１へ送信する。（ステップＳ２）。データベースサーバ３の情報管理部３２は、制御部４１からのメモ情報を記憶部３１へ格納する（ステップＳ３）。
【００４８】
図４は、メモ情報を作成した旨を掲載するウェブページの一例を示す図である。
【００４９】
図４に示すウェブページ４００には、紹介者の要求に応じて情報配信制御部４１が作成したメモ情報の一覧表が掲載されており、この一覧表にはメモ番号、メモタイトル、発行日（登録日）に加え、表示ボタン４０１と紹介ボタン４０２とがそれぞれ示されている。
【００５０】
表示ボタン４０１は、紹介者がメモ情報の内容を確認するためのボタンである。紹介者が端末１を操作して表示ボタン４０１を押下すると、押下した表示ボタン４０１に対応するメモ情報を掲載するウェブページがウェブサーバ４より端末１へ提供されて表示される。
【００５１】
図５は、メモ情報を掲載するウェブページの一例を示す図である。
【００５２】
図５に示すように、メモ情報を掲載するウェブページには、メモ番号、型番などデータベースサーバ３に格納されている情報に加え、割引の対象となる商品の値引き金額や商品購入に関する注意事項が掲載されている。
【００５３】
紹介ボタン４０２は、端末からサーバに対して、メモ情報の一覧表から紹介者が実際に選択したメモ情報を紹介相手へ紹介することを要求するためのボタンである。紹介者が端末１を操作して、メモ情報の紹介を要求すると（ステップＳ４）、情報配信制御部４１は、電子メールによるメモ情報の送信を受け付けるウェブページを端末１へ提供する（ステップＳ５）。このウェブページは、電子メールの宛先となるメールアドレスや、紹介者から紹介相手へのコメントの入力欄を含む。
【００５４】
紹介者は、端末１を操作してメールアドレスおよびコメントを入力し、電子メールの送信をウェブサーバ４へ要求する（ステップＳ６）。すると、メール配信制御部４２は、紹介情報を作成してデータベースサーバ３へ送信するとともに、端末１で入力されたメールアドレスを宛先とする電子メールをメールサーバ５より送信させる（ステップＳ７）。なお、本実施形態では、端末１で入力されたメールアドレスは、端末２で設定されているメールアドレスに一致するものとする。
【００５５】
情報管理部３２は、メール配信制御部４２からの紹介情報を記憶部３１へ格納する（ステップＳ８）。
【００５６】
メールサーバ５は、電子メールを端末２へ送信する（ステップＳ９）。ここで、メールサーバ５が配信する電子メールについて詳しく説明する。
【００５７】
電子メールには、紹介者から商品を紹介する旨、紹介者が作成したコメント、紹介者が紹介する商品名と、紹介者が紹介する商品の情報が掲載されたウェブページである商品陳列ページのＵＲＬ（Uniform Resource Locator）が添付されている。このＵＲＬには、メモ番号が含まれている。
【００５８】
端末２がメールサーバ２からの電子メールを受信すると（ステップＳ１０）、紹介相手は端末２を操作して電子メールに添付されたＵＲＬで特定される商品陳列ページの提供をウェブサーバ４へ要求する（ステップＳ１１）。すると、商品情報抽出部４３は、商品陳列ページを作成して端末２へ提供する（ステップＳ１２）。ここで、ステップＳ１２の動作について詳しく説明する。
【００５９】
商品情報抽出部４３は、まず、ＵＲＬに含まれたメモ番号を取得する。次に、メモ情報で該当するメモ番号に対応付けられて記述された型番を読み出す。そして、読み出した型番が含まれる商品情報を記憶部３１から抽出して商品陳列ページを作成して端末２へ提供する。
【００６０】
なお、メモ情報に複数の商品が保存されている場合には、商品情報抽出部４３は、型番を順次読み出し、読み出した型番が含まれる商品情報を記憶部３１からそれぞれ抽出して、商品陳列ページを作成する。
【００６１】
図６は、商品陳列ページの一例を示す図である。
【００６２】
図６に示す商品陳列ページ６００は、メモ情報で３つの商品の型番がメモ番号に対応付けられて記述されている場合に、商品情報抽出部４３が作成する商品陳列ページの一例である。商品陳列ページ６００では、商品ごとに商品名、型番、画像、および商品の説明が掲載される。
【００６３】
商品情報抽出部４３が上記のようにして作成した商品陳列ページが端末２へ提供されると、端末２は、提供された商品陳列ページを表示する（ステップＳ１３）。これにより、紹介者が紹介した商品の情報が紹介相手に提供されることとなる。
【００６４】
本実施形態では、ウェブサーバ４によって、紹介者が選択した商品の情報だけを紹介相手へ提供できる。すなわち、紹介相手が必要とする商品の情報だけを提供できるようになる。
【００６５】
また、本実施形態では、ウェブサーバ４によって、紹介者が紹介する複数の商品の情報をまとめて掲載した商品陳列ページが紹介相手へ提供されることになる。このとき、ウェブサーバ４は、メモ番号および型番に基づいてデータベースサーバ３に格納されている商品情報を抽出して商品陳列ページを作成している。これにより、商品紹介に用いる情報の情報源がデータベースサーバ３に格納されている商品情報に統一されるため、同じ内容の情報を重複してデータベースサーバ３に保存しなくても商品紹介を行える。
【００６６】
本実施形態によれば、紹介相手が必要とする商品の情報だけを提供でき、かつ、同じ内容の情報を重複してデータベースサーバ４に保存しなくても商品紹介を行えるため、商品紹介を効率的かつ省資源に行うことが可能となる。
【００６７】
また、本実施形態では、紹介者が実際に商品を発注しなくても商品紹介を行える。そのため、例えば、用途が同じで仕様が異なる商品について紹介相手がどの商品を購入すればいいかわからないときに、紹介者は、紹介相手に適した商品を、自ら購入しなくても紹介できるようになる。
【００６８】
なお、本発明では、上述した実施形態のように、データベースサーバ３、ウェブサーバ４、およびメールサーバ５を別々にする構成に限定されるものではなく、各サーバを一体化したサーバで構成することにしてもよい。この場合、情報管理部３２は、情報配信制御部４１の構成に含まれることとする。サーバがこのような構成であっても、商品陳列ページの情報源を商品情報に統一できるため、上述した実施形態の構成と同様の効果を奏することとなる。
【００６９】
また、本発明では、商品陳列ページのＵＲＬが添付された電子メールが複数の端末へ一度に送信されることとしてもよい。この場合、同じ商品を複数の人に紹介することを効率よく行えるようになる。
【００７０】
また、本発明では、紹介相手が商品陳列ページを通じて商品を購入した場合に、紹介相手および紹介者の双方にポイントを与え、ポイントに応じて値引き金額を設定することとしてもよい。この場合、利用者の増加に伴い商品陳列ページを作成する回数も増えることが考えられる。しかし、ウェブサーバはデータベースサーバに保存する情報量を増やさずに商品陳列ページを作成できるため、省資源で商品紹介を行うことは可能である。
【図面の簡単な説明】
【００７１】
【図１】本発明による商品紹介システムの一実施形態の構成を示すブロック図である。
【図２】メモ情報の一例を示す図である。
【図３】紹介者が選択した商品の情報を紹介相手に提供する際の、本実施形態の商品照会システムの各構成の動作を示すシーケンス図である。
【図４】メモ情報を作成した旨を掲載するウェブページの一例を示す図である。
【図５】メモ情報を掲載するウェブページの一例を示す図である。
【図６】商品陳列ページの一例を示す図である。
【符号の説明】
【００７２】
１、２  端末
３      データベースサーバ
４      ウェブサーバ
５      メールサーバ
３１    記憶部
３２    情報管理部
４１    情報配信制御部
４２    メール配信制御部
４３    商品情報抽出部
【図１】
0004788928.tif 000002
【図２】
0004788928.tif 000003
【図３】
0004788928.tif 000004
【図４】
0004788928.tif 000005
【図５】
0004788928.tif 000006
【図６】
0004788928.tif 000007